(57)【特許請求の範囲】
【請求項１】
屋外設置物を支持するために木造住宅の屋外水平部に造作される壁状突出部に備えられるこの屋外設置物の設置用金物であって、
棒状をなすと共に、その上端において開放した上部雌ねじ穴と、その下端において開放した下部雌ねじ穴とを有し、かつ、この両雌ねじ穴間を中実として両雌ねじ穴を分断させてなるナット体と、
このナット体における前記上部雌ねじ穴にねじ込まれてこのナット体の上端との間で前記屋上設置物の固定金物を挟持する上部ボルト体と、
前記ナット体の下部雌ねじ穴にねじ込まれる頭部と、前記壁状突出部を構成する柱材に支持される水平材にねじ込まれる軸部とを有する下部ボルト体とを備えてなると共に、
下部ボルト体の頭部と軸部との間に、前記水平材に固定可能なフランジ部が備えられていることを特徴とする屋外設置物の設置用金物。
【発明の詳細な説明】
【技術分野】
【０００１】
この発明は、太陽電池パネルなどの屋外設置物を陸屋根などの木造住宅の屋外水平部に設置するにあたって用いられる金物に関する。
【背景技術】
【０００２】
住宅の屋根に太陽電池パネルなどの屋上設置物を設置するにあたっては、これを載置する架台を建物側に固定するための金物を建物側に備えさせる必要がある。従来、鉄筋コンクリート構造の住宅用のこうした金物は存在しているが、木造住宅における陸屋根用のものなどは存在していない。
【発明の概要】
【発明が解決しようとする課題】
【０００３】
この発明が解決しようとする主たる問題点は、木造住宅の屋外水平部に太陽電池パネルなどの屋外設置物を適切に設置し得る金物を提供する点にある。
【課題を解決するための手段】
【０００４】
前記課題を解決するために、この発明にあっては、屋外設置物の設置用金物を、屋外設置物を支持するために木造住宅の屋外水平部に造作される壁状突出部に備えられるこの屋外設置物の設置用金物であって、
棒状をなすと共に、その上端において開放した上部雌ねじ穴と、その下端において開放した下部雌ねじ穴とを有し、かつ、この両雌ねじ穴間を中実として両雌ねじ穴を分断させてなるナット体と、
このナット体における前記上部雌ねじ穴にねじ込まれてこのナット体の上端との間で前記屋上設置物の固定金物を挟持する上部ボルト体と、
前記ナット体の下部雌ねじ穴にねじ込まれる頭部と、前記壁状突出部を構成する柱材に支持される水平材にねじ込まれる軸部とを有する下部ボルト体とを備えてなるものとした。
【０００５】
前記壁状突出部を構成する柱材に支持される水平材に、下部ボルト体の軸部をねじ込むことで、この水平材に下部ボルト体を固定することができる。次いで、この下部ボルト体の頭部が前記ナット体の下部雌ねじ穴にねじ込まれるように、この下部ボルト体の頭部にかかるナット体をネジつけることで、前記水平材上にナット体を起立状態に設置させることができる。前記下部ボルト体の頭部と軸部との間に、壁状突出部を構成する水平材に固定可能なフランジ部を備えさせておけば、このフランジ部をかかる水平材に固定して前記ナット体の下部ボルト体の頭部に対するネジつけを円滑に行なうことができる。そして、このように設置されたナット体の上部雌ねじ穴に上部ボルト体をネジつけることでこのナット体の上端に前記固定金物を取り付けることができる。前記ナット体は、上部雌ねじ穴と下部雌ねじ穴との間を中実として両者を連通させていないことから、設置用金物を通じた雨水の浸入を可及的に防止することができる。
【発明の効果】
【０００６】
この発明にかかる設置用金物は、木造住宅の屋外水平部に形成される壁状突出部に、雨水の浸入を効果的に防止した状態で、強固かつ安定的に備えさせることができ、よってかかる屋外水平部に太陽電池パネルなどの屋外設置物を適切に設置可能とするものである。
【図面の簡単な説明】
【０００７】
【図１】図１は実施の形態にかかる設置用金物の使用状態を示した側面構成図である。
【図２】図２は実施の形態にかかる設置用金物の使用状態を示した断面構成図である。
【図３】図３は図２の要部を拡大して示した断面構成図である。
【図４】図４は実施の形態にかかる設置用金物を構成するナット体と下部ボルト体の要部破断の側面図である。
【発明を実施するための形態】
【０００８】
以下、図１〜図４に基づいて、この発明の典型的な実施の形態について、説明する。この実施の形態にかかる設置用金物Ｊは、太陽電池パネルや看板などの屋外設置物を陸屋根、ベランダ、バルコニーなどの木造住宅の屋外水平部Ｒに設置するにあたって用いられるものである。より具体的には、かかる設置用金物Ｊは、前記屋外設置物を支持するために木造住宅の屋外水平部Ｒに造作される壁状突出部Ｆに備えられると共に、この壁状突出部Ｆの天端Ｆａから突き出される箇所には屋上設置物の固定金物Ｐａが取り付けられるようになっている。屋外設置物が太陽電池パネルである場合には、設置用金物Ｊの前記箇所には、かかる太陽電池パネルのパネル本体Sの架台Ｐの固定金物Ｐａ（架台ベースなどと称される。）が取り付けられる。
【０００９】
前記壁状突出部Ｆは、水平材Ｆｃと、これを支える柱材Ｆｄとからなる構造体Ｆｂにより形成されるようになっている。図示の例では、かかる構造体Ｆｂは、上下の水平材Ｆｃと、両者の間に介在される左右および中間の柱材Ｆｄとにより構成されている。図示の例では、かかる構造体Ｆｂの下側の水平材Ｆｃを、木造住宅の陸屋根を構成する梁Ｂに止着した後、構造体Ｆｂの側部及び天端を木製の屋根下地材Ｆｅで覆い、その表面にＦＲＰ防水による防水仕上げ層Ｆｆを形成させることで、屋外水平部Ｒに前記壁状突出部Ｆを形成させるようにしている。設置用金物Ｊは、前記構造体Ｆｂを梁Ｂに止着するに先だって、あるいはまた、梁Ｂに止着した後に前記上側の水平材Ｆｃに取り付けることができる。図示の例では、このように取り付けられる設置用金物Ｊにおける壁状突出部Ｆの天端Ｆａから突き出される箇所には、後述のナット体１の上端１０より上方を除いて、前記防水仕上げ層Ｆｆが形成されるようになっている。
【００１０】
この実施の形態にかかる設置用金物Ｊは、ナット体１と、上部ボルト体２と、下部ボルト体３とを備えてなる。
【００１１】
ナット体１は、棒状をなすと共に、その上端１０において開放した上部雌ねじ穴１２と、その下端１１において開放した下部雌ねじ穴１３とを有し、かつ、この両雌ねじ穴１２、１３間を中実として両雌ねじ穴を分断させてなる。
【００１２】
図示の例では、かかるナット体１は、丸棒状を呈している。上部雌ねじ穴１２の穴径よりも下部雌ねじ穴１３の穴径は大きくなっている。両雌ねじ穴１２、１３は、その穴軸をナット体１の棒軸に一致させるようにして、かかるナット体１に形成されている。かかるナット体１における前記中実とされる箇所１４には、直径方向両側にそれぞれ、ナット体１の棒軸を含む仮想の平面に略平行をなす平坦部１５が形成されており、この平坦部１５を利用して工具によりナット体１を螺回操作し易いようになっている。
【００１３】
下部ボルト体３は、前記ナット体１の下部雌ねじ穴１３にねじ込まれる頭部３０と、前記壁状突出部Ｆを構成する柱材Ｆｄに支持される水平材Ｆｃにねじ込まれる軸部３１とを有する。
【００１４】
図示の例では、下部ボルト体３の頭部３０と軸部３１との間には、円板状のフランジ部３２が形成されている。
【００１５】
下部ボルト体３の軸中心線に直交する向きの断面において、頭部３０の上部３０ａは外郭形状を六角形としている。一方、頭部３０の下部３０ｂの外周には雄ねじ３０ｃが形成されている。かかる頭部３０は、前記ナット体１の下部雌ねじ穴１３に、この下部雌ねじ穴１３の雌ねじに雄ねじ３０ｃを噛み合わせながら、このナット体１の下端１１に前記フランジ部３２が突き当たる位置までねじ込むことができるようになっている。
【００１６】
一方、下部ボルト体３の軸部３１の外周には、雄ねじ３１ａが形成されている。この実施の形態にあっては、前記構造体の上側の水平材Ｆｃに、この水平材Ｆｃの上面から鉛直方向に向けて穿設されためくら穴Ｆｃａに、前記フランジ部３２がこの水平材Ｆｃの上面Ｆｃｂに突き当たる位置まで下部ボルト体３の軸部３１をねじ込むようにしている。めくら穴Ｆｃａはこの軸部３１の外径とほぼ等しい穴径を持つように前記水平材Ｆｃに設けられる。このねじ込みにより、かかる軸部３１はこのめくら穴Ｆｃａの穴壁に前記雄ねじ３１ａを食い込ませる。
【００１７】
一方、上部ボルト体２は、前記ナット体１における前記上部雌ねじ穴１２にねじ込まれてこのナット体１の上端１０との間で前記屋上設置物の固定金物Ｐａを挟持する。
【００１８】
図示の例では、上部ボルト体２は六角ナット状を呈する頭部２０を有している。固定金物Ｐａは、この上部ボルト体２の軸部２１を通す貫通孔Ｐｃを備えた水平板部Ｐｂと、左右側板部Ｐｄ、Ｐｄと、この側板部Ｐｄの上端から外側に突き出す鍔板部Ｐｅとを有しており、前記架台Ｐに対して鍔板部Ｐｅをもって固定されるようになっている。図示の例では、固定金物Ｐａの前記貫通孔Ｐｃを通じて前記ナット体１の上部雌ねじ穴１２に上部ボルト体２の軸部２１をねじ込むことで、この上部ボルト体２とナット体１の上端１０との間で固定金物Ｐａを挟持するようになっている。図中符号５はスプリングワッシャーであり、符号６はワッシャーである。
【００１９】
前記壁状突出部Ｆを構成する柱材Ｆｄに支持される水平材Ｆｃに、下部ボルト体３の軸部３１をねじ込むことで、この水平材Ｆｃに下部ボルト体３を固定することができる。次いで、この下部ボルト体３の頭部３０が前記ナット体１の下部雌ねじ穴１３にねじ込まれるように、この下部ボルト体３の頭部３０にかかるナット体１をネジつけることで、前記水平材Ｆｃ上にナット体１を起立状態に設置させることができる。下部ボルト体３の前記固定及びナット体１のネジつけは、前記水平材Ｆｃの上方からなすことができることから、前記防水仕上げ層Ｆｆの形成前であれば前記壁状突出部Ｆを形成させる前記構造体Ｆｂを梁Ｂに止着した後においても支障なくなすことができると共に、この防水仕上げ層Ｆｆの形成前であればその取り付け位置の変更も容易になすことができる。ここで図示の例では、前記フランジ部３２が壁状突出部Ｆを構成する水平材Ｆｃに固定されるようになっており、このナット体１の下部ボルト体３の頭部３０に対するネジつけを下部ボルト体３の共回りを生じさせることなく円滑に行えるようにしてある。図示の例では、フランジ部３２の直径方向両側にそれぞれ、スクリュー４の通し孔３２ａが形成されており、この通し孔３２ａを通じて前記水平材Ｆｃにスクリュー４を打ち込むことで、フランジ部３２を前記水平材Ｆｃに固定するようになっている。そして、このように設置されたナット体１の上部雌ねじ穴１２に上部ボルト体２をネジつけることでこのナット体１の上端１０に前記固定金物Ｐａを取り付けることができる。前記ナット体１は、上部雌ねじ穴１２と下部雌ねじ穴１３との間を中実として両者を連通させていないことから、設置用金物Ｊを通じた雨水の浸入を可及的に防止することができる。
【符号の説明】
【００２０】
１  ナット体
１０  上端
１１  下端
１２  上部雌ねじ穴
１３  下部雌ねじ穴
２  上部ボルト体
３  下部ボルト体
３０  頭部
３１  軸部
Ｆ  壁状突出部
Ｆｃ  水平材
Ｆｆ  柱材
【図１】
0005800582.tif 000002
【図２】
0005800582.tif 000003
【図３】
0005800582.tif 000004
【図４】
0005800582.tif 000005